(57)【特許請求の範囲】
【請求項１】
端末装置と通信する第１の通信部と、
第２のＩＣカードがセットされる第２のＩＣカードリーダーライターと通信する第２の通信部と、
前記第２のＩＣカードと通信方式が異なる第１のＩＣカードにデータを書き込みまたは読み取りするリーダーライター部と、
前記端末装置からダウンロードした書き込み用のデータを前記第１のＩＣカードに書き込みするとともに、前記第２のＩＣカードリーダーライターに当該書き込み用のデータを送信して第２のＩＣカードに書き込ませる制御部とを備え、
ペアで発行された前記第１のＩＣカード及び前記第２のＩＣカードには同一の識別番号が付され、
前記制御部は、前記第２のＩＣカードリーダーライターにて読み出した前記第２のＩＣカードの識別番号と、前記リーダーライター部にて読み出した前記第１のＩＣカードの識別番号とを比較し、一致している場合に前記端末装置から前記書き込み用のデータをダウンロードすることを特徴とする、ＩＣカードリーダーライター。
【請求項２】
前記リーダーライター部と前記第１のＩＣカードとの間の通信方式が近接型の非接触式であり、前記第２のＩＣカードリーダーライター部と前記第２のＩＣカードとの間の通信方式が密着型の非接触式であることを特徴とする、請求項１に記載のＩＣカードリーダーライター。
【請求項３】
端末装置と、
第２のＩＣカードがセットされる第２のＩＣカードリーダーライターと、
リーダーライター部に前記第２のＩＣカードと通信方式が異なる第１のＩＣカードがセットされるとともに前記端末装置および前記第２のＩＣカードリーダーライターと接続されたＩＣカードリーダーライターとからなり、
ペアで発行された前記第１のＩＣカード及び前記第２のＩＣカードには同一の識別番号が付され、
前記ＩＣカードリーダーライターは、
前記第２のＩＣカードリーダーライターにセットされた第２のＩＣカードの識別番号を前記第２のＩＣカードリーダーライターから受信し、前記リーダーライター部にて読み出した第１のＩＣカードの識別番号と比較し、一致している場合に前記端末装置から書き込み用のデータをダウンロードし、当該ダウンロードした書き込み用のデータを前記第１のＩＣカードに書き込みするとともに前記第２のＩＣカードリーダーライターに送信し、
前記第２のＩＣカードリーダーライターは、当該書き込み用のデータを受信して前記第２のＩＣカードリーダーライターにセットされた第２のＩＣカードに書き込むＩＣカードリーダーライターシステム。
【請求項４】
前記ＩＣカードリーダーライターは、
前記第１のＩＣカードまたは前記第２のＩＣカードの何れか一方のＩＣカードへの書き込み及び読み取りが行われるモード、及び、前記第１のＩＣカードおよび前記第２のＩＣカードの両方の前記ＩＣカードへの書き込みおよび読み取りが行われるモードを切り替え可能とする、請求項3に記載のＩＣカードリーダーライターシステム。
【発明の詳細な説明】
【０００１】
【発明の属する技術分野】
本発明は、近接型、密着型の何れにも対応できるＩＣカードリーダーライターおよびＩＣカードリーダーライターシステムに関する。
【０００２】
【従来の技術】
昨今、建物等の警備システムの警戒セット・解除の操作手段としてＩＣカードを利用したものが普及している。これらの警備システムでは、建物内外の要所に侵入者を検知する侵入センサーや火災を検知する火災センサーを配置し、これらの異常を検知した場合には、遠隔の監視センターに通信回線を介して異常信号を送信するようにしている。そして、建物の出入口に電気錠を設置して、この電気錠の施解錠を警備システムの警備セットと連動して制御している。
【０００３】
このような警備システムにおいて、異常事態発生時に警備会社の警備員を対処に向かわせるようにしているが、建物内に入館する際には、警備員も専用のＩＣカードを所持してこのＩＣカードを使用して警備システムの操作を行っている。
警備員の所持するＩＣカードは、盗難等による悪用を防止するために、警備員が勤務につくときにそのＩＣカードの有効期限や警備員のＩＤコードを書き込み、勤務を終了するときにデータをクリアするようにしている。
【０００４】
図5は、従来の警備員のＩＣカードにデータを書き込むシステムを示す。１０１は、パソコンで構成される端末で、警備センターのホストコンピュータと通信回線で接続されている。
１０２はＩＣカードリーダーライターであり、パソコン１０１とＲＳ２３２ＣＩ／Ｆで接続されている。警備員は勤務につくときには、ＩＣカードリーダーライター１０２にＩＣカード１０３を装着して、パソコン１０１に自らのＩＤＮｏ．等の必要なデータを入力する。パソコン１０１は警備センターのホストコンピュータからＩＣカードに入力するデータをダウンロードして、ＩＣカードリーダーライター１０２に送信してＩＣカード１０３にデータを書き込む。
【０００５】
【発明が解決しようとする課題】
ＩＣカードには、例えば、従来の密着型の非接触式ＩＣカードに比べ近接型の非接触式のＩＣカードも普及してきている。
従来型の密着型非接触式ＩＣカードに加えて近接型非接触式のＩＣカードを使用する建物があると、警備員の使用するＩＣカードも２種類必要となる。
２種類のＩＣカードに同一のデータを書き込むためには２種類のＩＣカードリーダーライターを用意してそれぞれ端末装置に接続してダウンロードすればよいが、警備システムの運用上この２種類のカードには全く同一データが書き込まれる必要がある。
【０００６】
また、２種類のＩＣカードはペアにて発行され（発行番号が同一）運用されるので、データを書き込む際には、２枚のカードの発行番号等が同一であるか否かを確認する必要がある。
ホストコンピュータおよび端末装置は、ＩＣカードの悪用を防止するために、ＩＣカードへの同一データの書き込みはエラーが発生しない限り１回に制限している。
従って、２種類のＩＣカードを発行するためには、ホストコンピュータや端末装置の構成やシステムを変更しなければならないという問題点があった。
【０００７】
この発明の目的は、上述した従来の問題点を解決して、ホストコンピュータや端末装置の構成やシステムを変更することなく、２種類のＩＣカードに対応することができるＩＣカードリーダーライターおよびＩＣカードリーダーライターシステムを提供することにある。
【０００８】
【課題を解決するための手段】
本発明者は、上述した従来の問題点を解決すべく鋭意研究を重ねた。その結果、端末装置と、従来の密着型の第２のＩＣカードがセットされる第２のＩＣカードリーダーライターとの間に、近接型の第１のＩＣカードがセットされるリーダーライター部を設け、第２のＩＣカードリーダーライターから第２のＩＣカードのデータを受信し、そして、リーダーライター部にて読み出した第１のＩＣカードのデータと比較し、一致している場合に、端末装置からデータをダウンロードし、ダウンロードしたデータを、第１のＩＣカードに書き込みするとともに、第２のＩＣカードリーダーライターにデータを送信して、第２のＩＣカードに書き込むことによって、密着型および近接型のＩＣカードの何れにも対応することができるＩＣカードリーダーライターおよびＩＣカードリーダーライターシステムを提供することができることを知見した。
【０００９】
この発明は、上記知見に基づいてなされたものであって、この発明のＩＣカードリーダーライターの第１の態様は、端末装置と通信する第１の通信部と、第２のＩＣカードがセットされる第２のＩＣカードリーダーライターと通信する第２の通信部と、第１のＩＣカードにデータを書き込みまたは読み取りするリーダーライター部とを備え、前記端末装置からダウンロードした書き込み用のデータを、第１のＩＣカードに書き込みするとともに前記第２のＩＣカードリーダーライターに当該書き込み用のデータを送信することを特徴とする、ＩＣカードリーダーライターである。
【００１０】
この発明のＩＣカードリーダーライターは、前記第２のＩＣカードリーダーライターにセットされた第２のＩＣカードの識別情報を受信し、リーダーライター部にて読み出した第１のＩＣカードの識別情報と比較し、一致している場合に、端末装置から書き込み用のデータをダウンロードすることを特徴とするＩＣカードリーダーライターである。
【００１１】
この発明のＩＣカードリーダーライターは、前記リーダーライター部と前記第１のＩＣカードとの間の通信方式が、前記第２のＩＣカードリーダーライター部と前記第２のＩＣカードとの間の通信方式と異なっていることを特徴とするＩＣカードリーダーライターである。
【００１２】
この発明のＩＣカードリーダーライターは、前記第１のＩＣカードおよび前記第２のＩＣカードは、ペアで発行された同士で同一識別番号を有していることを特徴とする、ＩＣカードリーダーライター端末である。
【００１３】
この発明のＩＣカードリーダーライターの第２の態様は、前記リーダーライター部と前記第１のＩＣカードとの間の通信方式が近接型の非接触式であり、前記第２のＩＣカードリーダーライター部と前記第２のＩＣカードとの間の通信方式が密着型の非接触式であることを特徴とするＩＣカードリーダーライターである。
【００１４】
この発明のＩＣカードリーダーライターシステムの第１の態様は、端末装置と、第２のＩＣカードがセットされる第２のＩＣカードリーダーライターと、リーダーライター部に第２のＩＣカードと通信方式が異なる第１のＩＣカードがセットされるとともに端末装置および前記第２のＩＣカードリーダーライターと接続されたＩＣカードリーダーライターとからなり、ペアで発行された前記第１のＩＣカード及び前記第２のＩＣカードには同一の識別番号が付され、前記ＩＣカードリーダーライターは、前記第２のＩＣカードリーダーライターにセットされた第２のＩＣカードの識別番号を前記第２のＩＣカードリーダーライターから受信し、前記リーダーライター部にて読み出した第１のＩＣカードの識別番号と比較し、一致している場合に前記端末装置から書き込み用のデータをダウンロードし、ダウンロードした書き込み用のデータを第１のＩＣカードに書き込みするとともに前記第２のＩＣカードリーダライターに送信し、前記第２のＩＣカードリーダーライターは当該書き込み用のデータを受信して前記第２のＩＣカードリーダーライターにセットされた第２のＩＣカードに書き込むＩＣカードリーダーライターシステムである。
【００１５】
この発明のＩＣカードリーダーライターシステムの第２の態様は、前記第１のＩＣカードまたは前記第２のＩＣカードの何れか一方のＩＣカードへの書き込み及び読み取りが行われるモード、及び、前記第１のＩＣカードおよび前記第２のＩＣカードの両方の前記ＩＣカードへの書き込みおよび読み取りが行われるモードとを切り替え可能とする、ＩＣカードリーダーライターシステムである。
【００１６】
【発明の実施の形態】
本発明のＩＣカードリーダーライターおよびＩＣカードリーダーライターシステムの態様について図面を参照しながら詳細に説明する。
【００１７】
図１は、この発明のＩＣカードリーダーライターシステムを説明するブロック図である。この発明のＩＣカードリーダーライターシステムは、パソコン等の端末装置1と、密着型ＩＣカード（第２のＩＣカード）がセットされる第２のＩＣカードリーダーライター3（従来型の密着型ＩＣカードリーダーライター）と、端末装置1および第２のＩＣカードリーダーライター3とをＲＳ−２３２Ｃによって接続されたＩＣカードリーダーライター２を有して構成される。
また、本発明のＩＣカードリーダーライター２は、通信・制御部４および第１のＩＣカード（近接型ＩＣカード）がセットされるリーダーライター部５（近接型ＩＣカードリーダーライターユニット）からなり、通信・制御部４は端末装置１からダウンロードしたデータを、第2のＩＣカードリーダーライター３に送信する。更に、リーダーライター部５は第１のＩＣカードのデータ読み取り、書き込みを行う。
【００１８】
通信・制御部４は、システム全体を制御するＣＰＵ１０、プログラムメモリおよびデータメモリからなる記憶部１５、決められた手順に従ってＩＣカードの読み取り書き込みを行うＩＣカードＩ／Ｆ１４、端末装置１と通信を行う第１通信部１１、第２のＩＣカードリーダーライター３と通信を行う第２通信部１２、機能キーを備えた操作部１３、ＲＳ−２３２Ｃ等の双方向線路を介して外部装置に接続される通信ポート、ＬＥＤ等を備えている。
【００１９】
ＣＰＵ１０は、プログラムメモリに格納されたマイクロプログラムに従ってデータメモリとの間でデータの授受を行いながら各動作に必要な値を演算し、処理したデータに基づいて各部を制御する。記憶部１５には、ＩＣカードリーダーライター、インプットアウトプット、通信ポートを制御するＩ／Ｏドライバソフトを含むシステム全体を制御するオペレーティングシステムが格納されており、オペレーティングシステム上で各種アプリケーションプログラムが処理される。
【００２０】
また、通信・制御部４は、第２のＩＣカードリーダーライター３にセットされた第２のＩＣカードのデータを受信し、リーダーライター部５にて読み出した第１のＩＣカードのデータと比較し、一致している場合に端末装置１からデータをダウンロードし、ダウンロードしたデータを第１のＩＣカードに書き込みするとともに、第２のＩＣカードリーダーライター３に当該データを送信する。第2のＩＣカードリーダーライター３は当該データを第２のＩＣカードに書き込む。
【００２１】
このように、第１のＩＣカードと第２のＩＣカードの両方に、同一データが書き込まれる。なお、第１のＩＣカードのデータと第２のＩＣカードのデータが一致しない場合には、操作が停止される。更に、この発明のＩＣカードリーダーライターシステムにおいては、第１のＩＣカード、または、第２のＩＣカードの何れか一方、または、第１のＩＣカードおよび第２のＩＣカードの両方に対応してＩＣカードへの書き込みおよび読み取りが行われる。
【００２２】
更に、この発明のＩＣカードリーダーライター２においては、リーダーライター部５と第１のＩＣカードとの間の通信方式が、第２のＩＣカードリーダーライター３と第２のＩＣカードとの間の通信方式と異なっている。即ち、例えば、リーダーライター部５と第１のＩＣカードとの間の通信方式が近接型の非接触式であり、第２のＩＣカードリーダーライター部と第２のＩＣカードとの間の通信方式が密着型の非接触式である
更に、この発明のＩＣカードリーダーライター２においては、第１のＩＣカードおよび第２のＩＣカードは、同一識別番号を有している。
【００２３】
この発明のＩＣカードリーダーライター２においては、図示しないマルチプレクサの切り替えによって、モードをモード１からモード３の何れかに切り替えることができる。例えば、モード１は、近接型ＩＣカードおよび密着型ＩＣカードの両方を使用するモード、モード２は、近接型ＩＣカードのみのモード、モード３は、密着型ＩＣカードのみのモードである。
【００２４】
次に、この発明のＩＣカードリーダーライターシステムにおける通信シーケンスの一例を示す。図２は、モード１（即ち、近接型ＩＣカードおよび密着型ＩＣカードの両方を使用するモード）の場合における、第２のＩＣカードリーダーライター３、通信・制御部４、リーダーライター部５、端末装置１間における正常な状態の通信シーケンスを示す図である。
【００２５】
図２に示すように、第２のＩＣカードリーダーライター３に密着型ＩＣカードを差し込むと、検知信号（ＣＤ）が第２のＩＣカードリーダーライター３から通信・制御部４に送られ、通信・制御部４は第２のＩＣカードリーダーライター３に予め設定されたコード（例えば、カードデータ内容・カード種別等）をチェックをするＢコマンドを送信する。
【００２６】
通信・制御部４はＢコマンドに対するレスポンスを受信すると、第２のＩＣカードリーダーライター３へデータの送信を要求するＲコマンドを送信する。カードデータの内容が読み取られる（Ｒレスポンス）と、次いで、通信・制御部４から休止を要求するＮコマンドが第２のＩＣカードリーダーライター３に送られ、休止状態になる（Ｎレスポンス）。この際、データは保持される。
【００２７】
次いで、近接型ＩＣカードｗｏリーダーライター部５にかざすと、初期カードデータが通信・制御部4に送られ、通信.制御部４はリーダーライター部５へ全データを送信するようＲコマンドを送信し、データの読み取りを行う。通信.制御部４は近接型ＩＣカードのデータと密着型ＩＣカードのデータとをが比較し、データが同一の場合に、図示しないカードＬＥＤが点灯する。そして、通信・制御部４は端末装置１へ検知（ＣＤ）信号（第2のＩＣカードリーダーライター３が密着型ＩＣカードを挿入された時に出力するＣＤ信号）を端末装置１に送信する。端末装置１は予め設定されたコード（例えば、カードデータ内容・カード種別等）のチェックをするＢコマンドを通信・制御部４に送信する。
【００２８】
通信・制御部４からＢコマンドに対するレスポンスが端末装置１に送られると、次いで、端末装置１からデータの読み取りを要求するＲコマンドが通信・制御部４に送られる。保持データが送出され、データの内容が読み取られる（Ｒレスポンス）と、次いで、端末装置１から休止を要求するＮコマンドが通信・制御部４に送られ、通信・制御部４は休止状態になる（Ｎレスポンス）。
【００２９】
次いで、端末装置１から予め設定されたコード（例えば、カードデータ内容・カード種別等）のチェックをするＢコマンドが通信・制御部４に送られると、休止状態から脱出する（Ｂレスポンス）。次いで、端末装置１からデータの書き込みをするＷコマンドが通信・制御部４に送られると、通信・制御部４からリーダーライター部５へデータの書き込みをするＷコマンドが送られ、有効期限等が書き込まれる。
次いで、通信・制御部４からリーダーライター部５へデータの読み取りを要求するＲコマンドが送られ、読み取りの確認後、通信・制御部４から端末装置１へ書き込みの応答がなされる（Ｗレスポンス）。
次いで、端末装置１から通信・制御部４へ、休止を要求するＮコマンドが送られて、通信が停止される。
【００３０】
通信・制御部４は、端子装置１との通信が終了すると、第２のＩＣカードリーダーライター３に対して、所定のコードのチェックをするＢコマンドを送り、通信・制御部４と第２のＩＣカードリーダーライタ−３間において通信ができる状態に戻す（Ｂレスポンス）。
次いで、データの書き込みのＷコマンドが、通信・制御部４から第２のＩＣカードリーダーライター３へ送られ、書き込みが行われ（Ｗレスポンス）、更に、通信・制御部４から第２のＩＣカードリーダーライター３へデータの読み取りを要求するＲコマンドが送られ、通信・制御部４にて読み取りが行われ、照合され、通信・制御部４は第２のＩＣカードリーダーライター３へカード排出のＪコマンドを送信し、第２のＩＣカードリーダーライター３は第２のＩＣカードを排出する。
【００３１】
上述したように、モード１（即ち、近接型ＩＣカードおよび密着型ＩＣカードの両方を使用するモード）の場合において、正常な状態、即ち、近接型ＩＣカードのデータと、密着型ＩＣカードのデータが一致している場合に、端末装置１からデータをダウンロードし、そして、近接型ＩＣカードおよび密着型ＩＣカードの両方に同一データが書き込まれる。
【００３２】
図４は、受付コマンドのフローを示す図である。図４に示すように、直前に受信したコマンドによって、受付可能なコマンドに制限がある。Ｂは所定のコードをチェックするコマンド、Ｊはカードの排出コマンド、Ｗはデータの書き込みのコマンド、Ｒはデータの読み取りのコマンド、Ｎはカードの休止のコマンドである。
【００３３】
次に、図３は、モード１（即ち、近接型ＩＣカードおよび密着型ＩＣカードの両方を使用するモード）の場合における、リーダーライター部５、第２のＩＣカードリーダーライター３、端末装置１間における異常な状態の通信シーケンスを示す図である。
【００３４】
図３に示すように、第２のＩＣカードリーダーライター３に密着型ＩＣカードを差し込むと、検知信号（ＣＤ）を通信・制御部４へ送信され、通信・制御部4から予め設定されたコード（例えば、カードデータ内容・カード種別等）のチェックをするＢコマンドがＩＣカードリーダーライター２へ送信される。
【００３５】
通信・制御部4はＢコマンドに対するレスポンスを受信すると、通信・制御部4はデータの読み取りを要求するＲコマンドを第２のＩＣカードリーダーライター３に送信する。また通信・制御部4はカードデータの内容を読み取る（Ｒレスポンス）と、第２のＩＣカードリーダーライター３にカードの休止を要求するＮコマンドを送信し、第２のＩＣカードリーダーライター３は休止状態になる（Ｎレスポンス）。この際、データが保持される。
【００３６】
次いで、近接型ＩＣカードをリーダーライター部５にかざすと、リーダーライター部５から通信・制御部4へ初期カードデータが送信される。通信・制御部4はリーダーライター部５へデータの読み取りコマンドを送信し、通信・制御部4にてデータの読み取りが行われる。
次いで、通信・制御部4では近接型ＩＣカードのデータと密着型ＩＣカードのデータとを比較し、データが一致しないとカード排出のＪコマンドをリーダーライター部５に送信する。通信・制御部4から更に、第２のＩＣカードリーダーライター３にカード排出のＪコマンドが送られ、第２のＩＣカードリーダーライター３は第２のＩＣカードを排出する。
【００３７】
上述したように、近接型ＩＣカードのデータと密着型ＩＣカードのデータとが比較され、データが一致しないと、端末装置１との間の通信が設定されることなく終了する。
【００３８】
【発明の効果】
この発明によると、従来のパソコン端末とＩＣカードリーダーライターによるシステムを変更することなく、他の通信方式のＩＣカードリーダーライターを追加して運用することができ、産業上利用価値が高い。
【図面の簡単な説明】
【図１】図１は、この発明のＩＣカードリーダーライターシステムを説明する図である。
【図２】図２は、モード１の場合における、ＩＣカードリーダーライター、第２のＩＣカードリーダーライター、端末装置間の、正常な状態の通信シーケンスの一例を示す図である。
【図３】図３は、モード１の場合における、リーダーライター部、第２のＩＣカードリーダーライター、端末装置間の、異常な状態の通信シーケンスの一例を示す図である。
【図４】図４は、受付コマンドのフローを示す図である。
【図５】図５は、従来の警備員のＩＣカードにデータを書き込むシステムを示す図である。
【符号の説明】
１．端末装置
２．ＩＣカードリーダーライター部
３．第２のＩＣカードリーダーライター
４．通信・制御部
５．リーダーライター部
１０．ＣＰＵ
１１．第１通信部
１２．第２通信部
１３．操作部
１４．ＩＣカードＩ／Ｆ
１５．記憶部
１０１．端末装置
１０２．第２のＩＣカードリーダーライター
１０３．密着型ＩＣカード
【図１】
0004743987.tif 000002
【図２】
0004743987.tif 000003
【図３】
0004743987.tif 000004
【図４】
0004743987.tif 000005
【図５】
0004743987.tif 000006